(57)【要約】情報記録媒体（１００）は、記録トラックに沿ってグルーブが形成され、レーザ光が照射されて記録又は再生がなされる光記録媒体であって、グルーブの少なくとも一部の領域（１０１ａ）からは、所定値より小さいプッシュプル信号が得られる。
2008050450.tif 000002
【特許請求の範囲】
【請求項１】
記録トラックに沿ってグルーブが形成され、レーザ光が照射されて記録又は再生がなされる光記録媒体であって、
前記グルーブの少なくとも一部の領域からは、所定値より小さいプッシュプル信号が得られることを特徴とする情報記録媒体。
【請求項２】
記録後の前記一部の領域から得られるプッシュプル信号が、前記所定値より小さいことを特徴とする請求の範囲第１項に記載の情報記録媒体。
【請求項３】
前記所定値は、ＤＶＤ−Ｒ規格、又は、ＤＶＤ−ＲＷ規格で定められるプッシュプル信号の検出量であることを特徴とする請求の範囲第１項に記載の情報記録媒体。
【請求項４】
前記所定値は、ＤＶＤ＋Ｒ規格、又は、ＤＶＤ＋ＲＷ規格で定められるプッシュプル信号の検出量であることを特徴とする請求の範囲第１項に記載の情報記録媒体。
【請求項５】
前記所定値は、記録後の前記一部の領域から検出されるプッシュプル信号を、記録後の前記一部の領域から検出される全光量で正規化した値とした場合に、「０．２２」以下の値であることを特徴とする請求の範囲第２項に記載の情報記録媒体。
【請求項６】
前記一部の領域は、当該情報記録媒体の中心から「２２．３  〜  ３５．０（ｍｍ：millimeter）」の半径範囲において構成されていることを特徴とする請求の範囲第１項に記載の情報記録媒体。
【請求項７】
前記一部の領域は、データエリアに含まれない領域であることを特徴とする請求の範囲第１項に記載の情報記録媒体。
【請求項８】
前記一部の領域は、リードインエリアに含まれて設けられていることを特徴とする請求の範囲第７項に記載の情報記録媒体。
【請求項９】
前記一部の領域は、ＣＤＺ（control data zone）に含まれて設けられていることを特徴とする請求の範囲第７項に記載の情報記録媒体。
【請求項１０】
前記一部の領域には、ストレートグルーブが形成されていることを特徴とする請求の範囲第１項に記載の情報記録媒体。
【請求項１１】
前記一部の領域にはウォブルが形成されていることを特徴とする請求の範囲第１項に記載の情報記録媒体。
【請求項１２】
前記一部の領域には、ＤＶＤ−Ｒ規格、又は、ＤＶＤ−ＲＷ規格で定められるウォブル周波数の略２倍のウォブルが形成されていることを特徴とする請求の範囲第１項に記載の情報記録媒体。
【請求項１３】
前記グルーブの全体の領域から、所定値より小さいプッシュプル信号が得られることを特徴とする請求の範囲第１項に記載の情報記録媒体。
【請求項１４】
前記一部の領域から得られるプッシュプル信号は、前記グルーブの他部の領域から得られるプッシュプル信号よりも小さいことを特徴とする請求の範囲第１項に記載の情報記録媒体。
【請求項１５】
記録トラックに沿ってグルーブが形成され、レーザ光が照射されて記録又は再生がなされる光記録媒体であって、前記グルーブの少なくとも一部の領域からは、所定値より小さいプッシュプル信号が得られる情報記録媒体を製造する製造方法であって、
前記一部の領域のグルーブの深さ又は幅を変化させる変化工程と、
変化された前記一部の領域から得られる前記プッシュプル信号が所定値よりも小さくなるように調整する調整工程と、
を備えることを特徴とする情報記録媒体の製造方法。
【請求項１６】
前記所定値は、ＤＶＤ−Ｒ規格、又は、ＤＶＤ−ＲＷ規格で定められるプッシュプル信号の検出量であることを特徴とする請求の範囲第１５項に記載の情報記録媒体の製造方法。
【請求項１７】
前記所定値は、記録後の前記一部の領域から検出されるプッシュプル信号を、記録後の前記一部の領域から検出される全光量で正規化した値とした場合に、「０．２２」以下の値であることを特徴とする請求の範囲第１５項に記載の情報記録媒体の製造方法。
【請求項１８】
前記変化工程は、前記一部の領域のグルーブの幅を、前記記録トラックのトラック間隔の「１／２」以下に変化し、
前記調整工程は、変化された前記一部の領域から得られる前記プッシュプル信号が前記所定値よりも小さくなるように調整することを特徴とする請求の範囲第１５項に記載の情報記録媒体の製造方法。
【請求項１９】
前記変化工程は、前記一部の領域のグルーブの深さを、前記グルーブの幅の「１／４」以下に変化し、
前記調整工程は、変化された前記一部の領域から得られる前記プッシュプル信号が前記所定値よりも小さくなるように調整することを特徴とする請求の範囲第１５項に記載の情報記録媒体の製造方法。
【発明の詳細な説明】
【技術分野】
【０００１】
本発明は、例えばＤＶＤやＢＤ（Blu-ray Disc）等の情報記録媒体、並びに、情報記録媒体の製造方法の技術分野に関する。
【背景技術】
【０００２】
特許文献１等に、ＤＶＤ−Ｒ／ＲＷ等の記録型の情報記録媒体に予め暗号化情報を記録して販売し、ネットワークを介して暗号化されたＤＶＤビデオコンテンツ（以下、適宜「暗号化コンテンツ」と称す）を配信する配信システムが開示されている。この配信システムにおいては、従来のＤＶＤ−Ｒ／ＲＷ等の記録型の情報記録媒体と同一の物理構造の情報記録媒体に、従来のＤＶＤ−ＲＯＭ等の再生専用型のメディアに適用された暗号化情報を、コントロールデータゾーン等の制御領域に、販売前にプリ記録している。【０００３】
また、従来の記録型の情報記録媒体（記録型メディア）は、次のように設計されている。即ち、当該記録型の情報記録媒体においては、先ず、著作権の保護を必要としない自由な複製を許可する、例えば映画コンテンツ等のコンテンツ、所謂、コピーフリーのコンテンツが、例えばＤＶＤ−Ｖｉｄｅｏフォーマットに基づいて記録され、ファイナライズ処理を行うことが可能である。加えて、このファイナライズ処理が行われた記録型の情報記録媒体は、例えばＤＶＤプレーヤー等の従来の再生機（一般の情報記録再生装置）による再生互換性が維持されつつ、再生可能である。【０００４】
一方、ＤＶＤ−Ｖｉｄｅｏフォーマットは、例えばＣＳＳ（Content Scramble System）等の暗号化システムによって著作権保護が実現されている。詳細には、ＣＳＳによって著作権が保護されたコンテンツを、記録型の情報記録媒体に記録した場合、再生機の著作権保護のための再生制限システムによって、当該記録型の情報記録媒体からのコンテンツの再生が不許可とされ、コンテンツの再生が一律的に禁止される。なぜなら、一般的に、従来の再生機は、ＣＳＳによって著作権が保護されたコンテンツは、原則的に、例えばＤＶＤ−ＲＯＭ等の再生専用の情報記録媒体にだけ予め記録されていると認識しているためである。よって、従来の再生機は、記録型の情報記録媒体において、ＣＳＳによって著作権が保護されたコンテンツが記録されている場合には、違法なコンテンツのコピーが行われたと判断し、再生制限システムによって、コンテンツの再生が不許可とされ、コンテンツの再生が一律的に禁止される。なお、再生機には、記録型の情報記録媒体であるか否かを、（i）記録型の情報記録媒体に特有のウォブル（Wobble）からの信号（以下、適宜「ウォブル信号」と称す）が検出されるか否かに基づいて判断したり、（ii）情報記録媒体から得られる再生信号からプッシュプル信号を検出し、そのプッシュプル信号の検出の有無、又は、プッシュプル信号の検出レベルの測定に基づいて判断するものがある。（特許文献２等を参照）
【特許文献１】特開２００１−３０７４２７号公報
【特許文献２】特開平８−２３５７６５号公報
【発明の開示】
【発明が解決しようとする課題】
【０００５】
情報再生装置が制御情報を取得するためのシーク動作等によってメディアの種類の判別を行う場合、上述したように、情報記録媒体から得られる再生信号からプッシュプル信号を検出し、そのプッシュプル信号の検出の有無、又はプッシュプル信号の検出レベルによって情報記録媒体の種類の判別を行う場合がある。そして、記録型の情報記録媒体にＣＳＳによって著作権が保護されたコンテンツが記録されている場合、そのコンテンツが正当に記録されたものであっても、上述したような理由により、情報再生装置は違法にコピーされたコンテンツであると判断し、再生を不許可としてしまう場合があるという問題点がある。【０００６】
本発明は、上述した従来の問題点に鑑みなされたものであり、記録型の情報記録媒体において、コンテンツ等の記録データの著作権の保護、並びに、再生専用型の情報記録媒体との互換性の維持との両立を実現させることを可能ならしめる情報記録媒体、並びに、情報記録媒体の製造方法を提供することを課題とする。
【課題を解決するための手段】
【０００７】
上記課題を解決するために、請求項１に記載の情報記録媒体は、記録トラックに沿ってグルーブが形成され、レーザ光が照射されて記録又は再生がなされる光記録媒体であって、前記グルーブの少なくとも一部の領域（再生設定領域）からは、所定値より小さいプッシュプル信号が得られる。【０００８】
上記課題を解決するために、請求項１５に記載の情報記録媒体の製造方法は、記録トラックに沿ってグルーブが形成され、レーザ光が照射されて記録又は再生がなされる光記録媒体であって、前記グルーブの少なくとも一部の領域（再生設定領域）からは、所定値より小さいプッシュプル信号が得られる情報記録媒体を製造する製造方法であって、前記一部の領域のグルーブの深さ又は幅を変化させる変化工程と、変化された前記一部の領域から得られる前記プッシュプル信号が所定値よりも小さくなるように調整する調整工程と、を備える。
【発明を実施するための最良の形態】
【０００９】
（情報記録媒体に係る実施形態）
以下、本発明の実施形態に係る情報記録媒体について説明する。【００１０】
本発明の情報記録媒体に係る実施形態は、記録トラックに沿ってグルーブが形成され、レーザ光が照射されて記録又は再生がなされる光記録媒体であって、前記グルーブの少なくとも一部の領域（再生設定領域）からは、所定値より小さいプッシュプル信号が得られる。【００１１】
本発明の情報記録媒体に係る実施形態によれば、例えば、ディスク状の基板上に、少なくとも１つの記録層が積層されている。この記録層の記録エリアでは、例えば波長が６５０ｎｍであるレーザ光によって、例えば音声、映像情報、コンテンツ情報、或いは、ユーザデータ等の情報が、グルーブ又はグルーブトラック、所謂、記録トラックを介して、記録又は再生可能とされている。【００１２】
更に、グルーブトラックは、当該グルーブトラックのうち少なくとも一部の領域からは、所定値より小さいプッシュプル信号が検出されるように形成されている。【００１３】
従って、情報再生装置が、本発明の情報記録媒体を再生する際に、情報記録媒体の種類を判別するために、この一部の領域を再生設定領域として、用いた場合、通常の記録型の情報記録媒体から得られるプッシュプル信号と比較して、より小さい信号が検出される。ここに、本願発明に係る「再生設定領域」とは、例えば記録データ等の記録された記録情報を再生する際に、最初にアクセスされ、記録情報の再生を許可するか否かを判断し、記録メディアかどうかを識別するための領域を意味する。【００１４】
そのため、本発明の情報記録媒体は、記録型の情報記録媒体ではなく、ＤＶＤ−ＲＯＭ等の再生専用の情報記録媒体と判別される。この結果、従来の再生機は、一般的な再生専用の情報記録媒体と同様に、本発明の情報記録媒体に対して、再生処理を行うことが可能である。【００１５】
本発明の情報記録媒体に係る実施形態の一態様では、記録後（記録済み状態）の前記一部の領域から得られるプッシュプル信号が、前記所定値より小さい。【００１６】
この態様によれば、情報再生装置が、本発明の情報記録媒体を再生する際に、情報記録媒体の種類を判別するために、記録後（言い換えると、記録済み状態）の一部の領域を用いた場合、通常の記録型の情報記録媒体から得られるプッシュプル信号と比較して、より小さい信号が検出される。そのため、本発明の情報記録媒体は、記録型の情報記録媒体ではなく、ＤＶＤ−ＲＯＭ等の再生専用の情報記録媒体と判別される。この結果、従来の再生機は、一般的な再生専用の情報記録媒体と同様に、記録後である、本発明の情報記録媒体に対して、再生処理を行うことが可能である。【００１７】
本発明の情報記録媒体に係る実施形態の他の態様では、前記所定値は、ＤＶＤ−Ｒ規格、又は、ＤＶＤ−ＲＷ規格で定められるプッシュプル信号の検出量である。【００１８】
この態様によれば、情報再生装置が、本発明の情報記録媒体を再生する際に、情報記録媒体の種類を判別するために、この一部の領域を用いた場合、ＤＶＤ−Ｒ規格、又は、ＤＶＤ−ＲＷ規格に準拠した記録型の情報記録媒体から得られるプッシュプル信号と比較して、より小さい信号が検出される。そのため、本発明の情報記録媒体は、ＤＶＤ−Ｒ規格、又は、ＤＶＤ−ＲＷ規格に準拠した記録型の情報記録媒体ではなく、ＤＶＤ−ＲＯＭ等の再生専用の情報記録媒体と判別される。この結果、従来の再生機は、一般的な再生専用の情報記録媒体と同様に、本発明の情報記録媒体に対して、再生処理を行うことが可能である。【００１９】
本発明の情報記録媒体に係る実施形態の他の態様では、前記所定値は、ＤＶＤ＋Ｒ規格、又は、ＤＶＤ＋ＲＷ規格で定められるプッシュプル信号の検出量である。【００２０】
この態様によれば、情報再生装置が、本発明の情報記録媒体を再生する際に、情報記録媒体の種類を判別するために、この一部の領域を用いた場合、ＤＶＤ＋Ｒ規格、又は、ＤＶＤ＋ＲＷ規格に準拠した記録型の情報記録媒体から得られるプッシュプル信号と比較して、より小さい信号が検出される。そのため、本発明の情報記録媒体は、ＤＶＤ＋Ｒ規格、又は、ＤＶＤ＋ＲＷ規格に準拠した記録型の情報記録媒体ではなく、ＤＶＤ−ＲＯＭ等の再生専用の情報記録媒体と判別される。この結果、従来の再生機は、一般的な再生専用の情報記録媒体と同様に、本発明の情報記録媒体に対して、再生処理を行うことが可能である。【００２１】
この所定値に係る態様では、前記所定値は、記録後の前記一部の領域から検出されるプッシュプル信号を、記録後の前記一部の領域から検出される全光量で正規化した値とした場合に、「０．２２」以下の値であるようにしてもよい。【００２２】
このように構成すれば、情報再生装置が、本発明の情報記録媒体を再生する際に、情報記録媒体の種類を判別するために、記録後（言い換えると、記録済み状態）の一部の領域を用いた場合、記録後の一部の領域から検出される全光量で正規化した値が「０．２２」以下であるプッシュプル信号と比較して、より小さい信号が検出される。そのため、本発明の情報記録媒体は、記録型の情報記録媒体ではなく、ＤＶＤ−ＲＯＭ等の再生専用の情報記録媒体と高精度に判別される。この結果、従来の再生機は、一般的な再生専用の情報記録媒体と同様に、記録後である、本発明の情報記録媒体に対して、再生処理を行うことが可能である。【００２３】
本発明の情報記録媒体に係る実施形態の他の態様では、前記一部の領域は、当該情報記録媒体の中心から「２２．３  〜  ３５．０（ｍｍ：millimeter）」の半径範囲において構成されている。【００２４】
この態様によれば、一部の領域を、例えば記録データ等の記録された記録情報を再生する際に、最初にアクセスされ、記録情報の再生を許可するか否かを判断し、記録メディアかどうかを識別するための再生設定領域として、機能させることが可能である。この結果、従来の再生機は、再生設定領域として機能する一部の領域に迅速且つ適切にアクセスし、一般的な再生専用の情報記録媒体と同様に、本発明の情報記録媒体に対して、再生処理をより迅速且つ適切に行うことが可能である。【００２５】
本発明の情報記録媒体に係る実施形態の他の態様では、前記一部の領域は、データエリアに含まれない領域である。【００２６】
この態様によれば、データエリアにおいて、従来と概ね同様の記録手法や暗号化手法に基づいて、例えばコンテンツ情報等の各種の情報を、適切に記録することが可能である。【００２７】
この一部の領域に係る態様では、前記一部の領域は、リードインエリアに含まれて設けられているようにしてもよい。【００２８】
このように構成すれば、一部の領域を、例えば記録データ等の記録された記録情報を再生する際に、最初にアクセスされ、記録情報の再生を許可するか否かを判断し、記録メディアかどうかを識別するためのリードインエリアとして、機能させることが可能である。この結果、従来の再生機は、リードインエリアとして機能する一部の領域に迅速且つ適切にアクセスし、一般的な再生専用の情報記録媒体と同様に、本発明の情報記録媒体に対して、再生処理をより迅速且つ適切に行うことが可能である。【００２９】
この一部の領域に係る態様では、前記一部の領域は、ＣＤＺ（control data zone）に含まれて設けられているようにしてもよい。【００３０】
このように構成すれば、一部の領域を、例えば記録データ等の記録された記録情報を再生する際に、最初にアクセスされ、記録情報の再生を許可するか否かを判断し、記録メディアかどうかを識別すると共に、記録情報を管理するためのＣＤＺ（control data zone）として、機能させることが可能である。この結果、従来の再生機は、ＣＤＺ（control data zone）として機能する一部の領域に迅速且つ適切にアクセスし、一般的な再生専用の情報記録媒体と同様に、本発明の情報記録媒体に対して、再生処理をより迅速且つ適切に行うことが可能である。【００３１】
本発明の情報記録媒体に係る実施形態の他の態様では、前記一部の領域には、ストレートグルーブが形成されている。【００３２】
この態様によれば、情報再生装置が、本発明の情報記録媒体を再生する際に、情報記録媒体の種類を判別するために、この一部の領域を用いた場合、ストレートグルーブが形成されている特別な記録型の情報記録媒体から得られるプッシュプル信号と比較して、より小さい信号が検出される。そのため、本発明の情報記録媒体は、ストレートグルーブが形成されている特別な記録型の情報記録媒体ではなく、ＤＶＤ−ＲＯＭ等の再生専用の情報記録媒体と判別される。この結果、従来の再生機は、一般的な再生専用の情報記録媒体と同様に、本発明の情報記録媒体に対して、再生処理を行うことが可能である。【００３３】
本発明の情報記録媒体に係る実施形態の他の態様では、前記一部の領域にはウォブルが形成されている。【００３４】
この態様によれば、情報再生装置が、本発明の情報記録媒体を再生する際に、情報記録媒体の種類を判別するために、この一部の領域を用いた場合、ウォブルが形成されている通常の記録型の情報記録媒体から得られるプッシュプル信号と比較して、より小さい信号が検出される。そのため、本発明の情報記録媒体は、ウォブルが形成されている記録型の情報記録媒体ではなく、ＤＶＤ−ＲＯＭ等の再生専用の情報記録媒体と判別される。この結果、従来の再生機は、一般的な再生専用の情報記録媒体と同様に、本発明の情報記録媒体に対して、再生処理を行うことが可能である。【００３５】
本発明の情報記録媒体に係る実施形態の他の態様では、前記一部の領域には、ＤＶＤ−Ｒ規格、又は、ＤＶＤ−ＲＷ規格で定められるウォブル周波数の略２倍のウォブルが形成されている。【００３６】
この態様によれば、情報再生装置が、本発明の情報記録媒体を再生する際に、情報記録媒体の種類を判別するために、この一部の領域を用いた場合、ウォブル周波数が規格の略２倍の特別なウォブルが形成されている通常の記録型の情報記録媒体から得られるプッシュプル信号と比較して、より小さい信号が検出される。そのため、本発明の情報記録媒体は、ウォブル周波数が規格の略２倍の特別なウォブルが形成されている記録型の情報記録媒体ではなく、ＤＶＤ−ＲＯＭ等の再生専用の情報記録媒体と判別される。この結果、従来の再生機は、一般的な再生専用の情報記録媒体と同様に、本発明の情報記録媒体に対して、再生処理を行うことが可能である。【００３７】
本発明の情報記録媒体に係る実施形態の他の態様では、前記グルーブの全体の領域（再生設定領域）から、所定値より小さいプッシュプル信号が得られる。【００３８】
この態様によれば、情報再生装置が、本発明の情報記録媒体を再生する際に、情報記録媒体の種類を判別するために、この全体の領域を用いた場合、通常の記録型の情報記録媒体から得られるプッシュプル信号と比較して、より小さい信号が検出される。そのため、本発明の情報記録媒体は、記録型の情報記録媒体ではなく、ＤＶＤ−ＲＯＭ等の再生専用の情報記録媒体と判別される。この結果、従来の再生機は、一般的な再生専用の情報記録媒体と同様に、本発明の情報記録媒体に対して、再生処理を行うことが可能である。【００３９】
本発明の情報記録媒体に係る実施形態の他の態様では、前記一部の領域から得られるプッシュプル信号は、前記グルーブの他部の領域から得られるプッシュプル信号よりも小さい。【００４０】
この態様によれば、情報再生装置が、本発明の情報記録媒体を再生する際に、情報記録媒体の種類を判別するために、この一部の領域を用いた場合、グルーブの他部の領域から得られるプッシュプル信号と比較して、より小さい信号が検出される。そのため、本発明の情報記録媒体は、グルーブの他部の領域に対応される記録型の情報記録媒体ではなく、ＤＶＤ−ＲＯＭ等の再生専用の情報記録媒体と判別される。この結果、従来の再生機は、一般的な再生専用の情報記録媒体と同様に、本発明の情報記録媒体に対して、再生処理を行うことが可能である。【００４１】
（情報記録媒体の製造方法の実施形態）
以下、本発明の実施形態に係る情報記録媒体の製造方法について説明する。【００４２】
本発明の情報記録媒体の製造方法に係る実施形態は、記録トラックに沿ってグルーブが形成され、レーザ光が照射されて記録又は再生がなされる光記録媒体であって、前記グルーブの少なくとも一部の領域（再生設定領域）からは、所定値より小さいプッシュプル信号が得られる情報記録媒体を製造する製造方法であって、前記一部の領域のグルーブの深さ又は幅を変化させる変化工程と、変化された前記一部の領域から得られる前記プッシュプル信号が所定値よりも小さくなるように調整する調整工程と、を備える。【００４３】
本発明の情報記録媒体の製造方法に係る実施形態によれば、最初に、変化工程によって、一部の領域のグルーブの深さ又は幅が変化される。次に、調整工程によって、一部の領域から得られるプッシュプル信号が所定値よりも小さくなるように、一部の領域のグルーブの深さ又は幅が調整される。尚、一部の領域のグルーブの深さ又は幅の調整は、例えば、実験的、経験的又は理論的若しくはシミュレーション等により、グルーブの深さ又は幅を変化させて、個別具体的に、所望のプッシュプル信号が得られるようにすればよい。【００４４】
この結果、グルーブの少なくとも一部の領域からは、所定値より小さいプッシュプル信号が得られる情報記録媒体を、変化工程及び調整工程に基づいて、より簡便且つ高精度に製造することが可能となる。【００４５】
尚、上述した本発明の情報記録媒体に係る実施形態が有する各種態様に対応して、本発明の情報記録媒体の製造方法に係る実施形態も各種態様を採ることが可能である。【００４６】
本発明の情報記録媒体の製造方法に係る実施形態の一の態様では、前記所定値は、ＤＶＤ−Ｒ規格、又は、ＤＶＤ−ＲＷ規格で定められるプッシュプル信号の検出量である。【００４７】
この態様によれば、グルーブの少なくとも一部の領域からは、ＤＶＤ−Ｒ規格、又は、ＤＶＤ−ＲＷ規格に準拠した所定値より小さいプッシュプル信号が得られる情報記録媒体を、変化工程及び調整工程に基づいて、より簡便且つ高精度に製造することが可能となる。【００４８】
本発明の情報記録媒体の製造方法に係る実施形態の他の態様では、前記所定値は、記録後の前記一部の領域から検出されるプッシュプル信号を、記録後の前記一部の領域から検出される全光量で正規化した値とした場合に、「０．２２」以下の値である。【００４９】
この態様によれば、グルーブの少なくとも一部の領域からは、記録後の一部の領域から検出される全光量で正規化した値が「０．２２」以下である所定値より小さいプッシュプル信号が得られる情報記録媒体を、変化工程及び調整工程に基づいて、より簡便且つ高精度に製造することが可能となる。【００５０】
本発明の情報記録媒体の製造方法に係る実施形態の他の態様では、前記変化工程は、前記一部の領域のグルーブの幅を、前記記録トラックのトラック間隔の「１／２」以下に変化し、前記調整工程は、変化された前記一部の領域から得られる前記プッシュプル信号が前記所定値よりも小さくなるように調整する。【００５１】
この態様によれば、記録トラックのトラック間隔の「１／２」以下に変化された一部の領域のグルーブの幅に基づいて、グルーブの少なくとも一部の領域からは、所定値より小さいプッシュプル信号が得られる情報記録媒体を、変化工程及び調整工程に基づいて、より簡便且つ高精度に製造することが可能となる。【００５２】
本発明の情報記録媒体の製造方法に係る実施形態の他の態様では、前記変化工程は、前記一部の領域のグルーブの深さを、前記グルーブの幅の「１／４」以下に変化し、
前記調整工程は、変化された前記一部の領域から得られる前記プッシュプル信号が前記所定値よりも小さくなるように調整する。【００５３】
この態様によれば、グルーブの幅の「１／４」以下に変化された一部の領域のグルーブの深さに基づいて、グルーブの少なくとも一部の領域からは、所定値より小さいプッシュプル信号が得られる情報記録媒体を、変化工程及び調整工程に基づいて、より簡便且つ高精度に製造することが可能となる。【００５４】
以上説明したように、本発明の情報記録媒体に係る実施形態によれば、記録トラックに沿ってグルーブが形成され、グルーブの少なくとも一部の領域（再生設定領域）からは、所定値より小さいプッシュプル信号が得られる。この結果、従来の再生機は、一般的な再生専用の情報記録媒体と同様に、本発明の情報記録媒体に対して、再生処理を行うことが可能である。【００５５】
本発明の情報記録媒体の製造方法に係る実施形態によれば、変化工程と、調整工程とを備える。この結果、グルーブの少なくとも一部の領域からは、所定値より小さいプッシュプル信号が得られる情報記録媒体を、変化工程及び調整工程に基づいて、より簡便且つ高精度に製造することが可能となる。【００５６】
本実施形態のこのような作用及び他の利得は次に説明する実施例から明らかにされる。
【図面の簡単な説明】
【００５７】
【図１】本発明の情報記録媒体の実施例に係る複数の記録領域を有する光ディスクの基本構造を示した概略平面図、及び、該概略平面図に対応付けられた、その半径方向における記録領域構造の図式的概念図である。
【図２】本発明の情報記録媒体の実施例に係る光ディスクの記録領域と、当該記録領域の位置を特定可能なアドレスとの関係を示した概念的グラフである。
【図３】本発明の情報記録媒体の実施例に係る溝の幅及び深さを変化させる方向を図式的に示したグラフ（図３（ａ）及び図３（ｂ））である。
【図４】本発明の情報記録媒体の実施例に係る溝の幅又は深さの絶対量を規定した場合、プッシュプル信号の値の変化、及びプッシュプル信号の値の比の変化を図式的に示したグラフ（図４（ａ）及び図４（ｂ））である。
【図５】本発明の情報記録媒体の実施例に係る、色素膜の厚さ、グルーブの深さ、グルーブの幅、トラック間隔、記録後のプッシュプル信号の検出量、及び正規化したプッシュプル信号の値の相関関係を数値的に示した表（図５（ａ））、並びに、本発明の情報記録媒体の実施例に係る、ＣＳＳで保護されたコンテンツが記録された記録型ディスクを、プッシュプル信号の振幅（検出レベル）で、光ディスクの種類を判別することが可能な情報再生装置で再生を試みた場合の結果を示す表（図５（ｂ））である。
【図６】本発明の情報再生装置に係る実施例における情報記録再生装置２００の全体構成を示すブロック図である。
【図７】本発明の情報記録媒体の製造手順を図式的に示した模式図である。
【符号の説明】
【００５８】
１…センターホール、５０…トラック、５１…ＥＣＣブロック、１００…光ディスク、１０１…リードインエリア、１０１ａ…再生設定領域、１０２…データエリア、１０３…リードアウトエリア、２００…情報記録再生装置、ＣＤＺ…コントロールデータゾーン、ＲＭＡ…レコーディングマネージメントエリア
【実施例】
【００５９】
以下、本発明の実施例を図面に基づいて説明する。【００６０】
（１）情報記録媒体の第１実施例
次に、図１から図６を参照して、本発明の情報記録媒体の第１実施例について詳細に説明する。【００６１】
（１−１）基本構成
先ず、図１を参照して、本発明の情報記録媒体の実施例に係る光ディスクの基本構成について説明する。ここに、図１は、本発明の情報記録媒体の実施例に係る複数の記録領域を有する光ディスクの基本構造を示した概略平面図、及び、該概略平面図に対応付けられた、その半径方向における記録領域構造の図式的概念図である。【００６２】
図１に示されるように、光ディスク１００は、例えば、ＤＶＤと同じく直径１２ｃｍ程度のディスク本体上の記録面に、センターホール１を中心として（ｉ）パワーキャリブレーションエリアＰＣＡ、（ｉｉ）レコーディングマネージメントエリア（Recording Management Area）ＲＭＡ、（ｉｉｉ）コントロールデータゾーン（Control Data Zone）ＣＤＺとＮＢＣＡ（Narrow Burst Cutting Area）と、を有するリードインエリア１０１、（ｉｖ）データエリア１０２、（ｖ）リードアウトエリア１０３を備えて構成されている。【００６３】
尚、後述されるように、本発明に係る「記録エリアの一部」の一具体例が、上述したレコーディングマネージメントエリアＲＭＡ、又は、コントロールデータゾーンＣＤＺ等のリードインエリアによって構成されている。また、ＮＢＣＡ（Narrow Burst Cutting Area）は、光ディスクの各種の属性を判別可能である判別情報が予め記録された記録エリアのことである。より具体的には、ＮＢＣＡは、複数のトラックに跨って、バーコード状に低密度で判別情報を記録可能であり、トラッキング制御を行うことなく、光ディスクの回転制御だけで、判別情報を再生することが可能である。ＮＢＣＡを利用した判別情報の具体例としては、例えば光ディスク１００の一枚一枚に固有な製造番号、所謂、メディアＩＤ等を挙げることができる。【００６４】
そして、光ディスク１００の、図示しない例えば透明基板に、少なくとも一つの記録層が積層されている。そして、この記録層の各記録領域には、例えば、センターホール１を中心にスパイラル状或いは同心円状に、例えば、グルーブトラック及びランドトラック等のトラック５０が交互に設けられている。また、このトラック５０上には、記録情報（データ）がＥＣＣブロック５１という単位で分割されて記録される。ＥＣＣ（Error Correction Code）ブロック５１は、記録情報のエラー訂正が可能な記録情報の管理単位である。【００６５】
特に、データエリア１０２には、例えばＣＳＳ等の暗号化システムに基づいたタイトルキー等の第１暗号化情報と、このタイトルキー等の第１暗号化情報によって暗号化された暗号化コンテンツが記録される。より具体的には、タイトルキー等の第１暗号化情報は、ディスクキーや、ディスクキーセット等の第２暗号化情報によって暗号化されている。【００６６】
尚、本発明は、このような５つのエリアを有する光ディスクには特に限定されない。例えば、リードインエリア１０１、又はリードアウトエリア１０３が存在せずとも、以下に説明するデータ構造等の構築は可能である。また、リードインエリア１０１又はリードアウト１０３は更に細分化された構成であってもよい。【００６７】
（１−２）光ディスクの記録領域の位置を特定可能なアドレス
次に、図２を参照して、光ディスクの記録領域と、当該記録領域の位置を特定可能なアドレスとの関係について説明する。ここに、図２は、本発明の情報記録媒体の実施例に係る光ディスクの記録領域と、当該記録領域の位置を特定可能なアドレスとの関係を示した概念的グラフである。尚、図２中の縦軸は、例えばセクタ番号やランドプリピットアドレス等のアドレスの値を示し、横軸は、光ディスクの半径方向の相対的な位置を示す。【００６８】
図２に示されるように、本発明の情報記録媒体の実施例に係る光ディスク１００の記録領域は、内周側から外周側にかけて、前述したように（ｉ）パワーキャリブレーションエリアＰＣＡ、（ｉｉ）レコーディングマネージメントエリア（Recording Management Area）ＲＭＡ、（ｉｉｉ）コントロールデータゾーン（Control Data Zone）ＣＤＺを有するリードインエリア１０１、（ｉｖ）データエリア１０２、（ｖ）リードアウトエリア１０３を備えて構成されている。尚、ＲＭＡや、ＣＤＺには、各種の管理情報が記録されるようにしてもよい。ここに、管理情報とは、（ｉｉ−１）例えば最適記録パワー等の記録特性に関する情報、（ｉｉ−２）媒体の種類を特定するための属性情報、及び（ｉｉ−３）各種の記録領域の位置を特定するための情報等の、当該情報記録媒体を管理するための各種の情報である。特に、本発明に係る暗号化キーは、コンテンツホルダーによる管理の下、例えば、ＣＤＺに、予め記録（所謂、プリ記録）されるようにしてもよい。他方、暗号化キーによって暗号化されたコンテンツ等の記録データは、当該光ディスクに対応した、後述される情報記録再生装置によって記録されるようにしてもよい。【００６９】
また、図２に示されるように、上述した光ディスク１００の記録領域の位置を一義的に特定可能なアドレスが、例えば、ＥＣＣブロックを構成する物理的セクタ番号（セクタ番号）である場合、光ピックアップが、内周側から外周側へ移動するにつれて光ディスク１００の記録領域におけるアドレスは増加していくようにしてもよい（図２中の太実線を参照）。或いは、記録領域の位置を一義的に特定可能なアドレスが、例えば、ランドプリピットアドレス（Land Pre Pit Address）である場合、後述される情報記録再生装置の光ピックアップが、内周側から外周側へ移動するにつれて光ディスク１００の記録領域におけるアドレスは減少していくようにしてもよい（図２中の細点線を参照）。【００７０】
（１−３）特別な溝が形成された再生設定領域の半径位置
次に、本実施例に係る、一部の領域において特別な溝が形成されると共に、記録された記録情報を再生する際に、最初にアクセスされ、記録情報の再生を許可するか否かを識別するための再生設定領域１０１ａの半径位置について説明する。【００７１】
詳細には、少なくとも、次の２種類の半径位置のうちのいずれか一方において、幅及び深さのうち少なくとも一方の絶対量が所定値以下（即ち、所定値より小さい、又は、所定値と等しい）のプッシュプル信号が得られるように規定された溝が形成されていることが好ましい。即ち、1種類目は、光ディスクの中心から「22.3（mm：millimeter）  〜  35（mm）」までの半径位置である。２種類目は、光ディスクの中心から「22.6（mm）  〜  35（mm）」までの半径位置である。特に、これらの半径位置において、グルーブトラックにおける溝の深さを、標準量よりも浅く（即ち小さく）することが好ましい。【００７２】
これは、次の理由により導かれる。即ち、DVD-ROMの規定（規格）においては、次の２つの条件を満たすことが必要となる。１つ目の条件は、リードインエリアの開始位置の半径位置は、光ディスクの中心から22.6（mm）より内周側に位置することである。2つ目の条件は、情報が記録された記録エリアの最外周の部分の半径位置は、光ディスクの中心から35（mm）よりも外周側に位置することである。【００７３】
他方で、従来の単層型の記録型の光ディスク（所謂、DVD-R SL（Single Layer））及び２層型の記録型の光ディスク（所謂、DVD-R DL）の規定（規格）においては、次の３つの条件を満たすことが必要となる。１つ目の条件は、記録管理エリア（所謂、レコーディングマネージメントエリア：Recording Management area）の開始半径位置は、光ディスクの中心から約22.3（mm）であることである。２つ目の条件は、リードインエリアの開始位置の半径位置は、光ディスクの中心から約22.6（mm）であることである。３つ目の条件は、情報が記録された記録エリアの最外周の部分の半径位置は、光ディスクの中心から35（mm）よりも外周側に位置することである。【００７４】
更に、例えば記録データ等の記録された記録情報を再生する際に、最初にアクセスされ、記録情報の再生を許可するか否かを判断し、記録メディアかどうかを識別するためにレーザ光がフォーカスインされる領域は、情報が記録済み状態の場所に設定されることが、迅速な再生動作を実現するために好ましい。【００７５】
以上より、これら上述した６つ（＝２＋３＋１）の条件に基づいて、情報再生装置（所謂、再生専用機）に対しては、少なくとも光ディスクの中心から「22.6（mm）  〜  35（mm）」までの半径位置において、プッシュプル信号の検出量が所定値（すなわち、ＤＶＤ−Ｒ規格を満たす値）よりも小さくなるように、グルーブトラックにおける溝の深さを、標準量よりも浅く（即ち小さく）することが好ましい。また、情報記録装置（所謂、記録機）に対しては、光ディスクの中心から「22.3（mm）  〜  35（mm）」までの半径位置において、グルーブトラックにおける溝の深さを、標準量よりも浅く（即ち小さく）することが好ましい。【００７６】
尚、ここで標準量とは、後述するＤＶＤ−Ｒ規格を満たすプッシュプル信号が検出できる程度に設定されたグルーブトラックにおける溝の深さを指す。また、グルーブトラックの一部のみの溝の深さを浅くするのではなく、グルーブトラック全体の溝の深さを均一に浅くしてもよい。【００７７】
また、尚、少なくともグルーブトラックの溝の深さを浅くした再生設定領域等の記録エリアの一部、または、全体においてウォブルが存在しないストレートグルーブ形状にしてよい。或いは、ＤＶＤ−Ｒ規格で定められるウォブル周波数よりも十分高い（例えば２倍以上の）周波数を有するウォブルを形成してもよい。重要なのは、一般的なＤＶＤ−Ｒの再生装置でウォブルを検出できないような形状にしておくことが好ましい。これは、ディスクの種類判別の際に、プッシュプル信号の検出量のみならず、ウォブルの有無にも基づいて媒体判別を行う再生装置が存在する可能性があるためである。よって、例えばプッシュプル信号の検出量を上記の所定値よりも小さくし、且つウォブリングが検出不能に構成することにより、再生装置にＤＶＤ−ＲＯＭディスクであると識別させる可能性が高まるのである。【００７８】
（１−４）溝の構成の一具体例
次に、図３から図５を参照して、本発明の実施例に係る、溝の構成の一具体例について説明する。【００７９】
（１−４−１）溝の形状について
先ず、図３及び図４を参照して、本発明の実施例に係る、溝の形状の一具体例について説明する。ここに、図３は、本発明の情報記録媒体の実施例に係る溝の幅及び深さを変化させる方向を図式的に示したグラフ（図３（ａ）及び図３（ｂ））である。図４は、本発明の情報記録媒体の実施例に係る溝の幅又は深さの絶対量を規定した場合、プッシュプル信号の値の変化、及びプッシュプル信号の値の比の変化を図式的に示したグラフ（図４（ａ）及び図４（ｂ））である。【００８０】
図３（ａ）及び図３（ｂ）に示されるように、本実施例に係る溝の形状は、全体のグルーブトラックのうち、少なくとも、上述した再生設定領域における幅又は深さの絶対量が小さくなるように規定されている。このように再生設定領域のグルーブトラックの幅を狭くしたり、グルーブトラックの深さを浅くしたりすることで、プッシュプル信号の検出レベル（振幅のレベル）を、一般のDVD-R等の光ディスクから得られる値よりも低くさせることが可能である。【００８１】
一般的に、DVD-R等の記録型の光ディスクの標準規格においては、記録エリアにおいて情報が記録済み状態における、正規化されたプッシュプル信号の値（レベル）を、ＮＰＰａ（Normal Push-Pull signal after）とし、記録エリアにおいて情報が未記録状態における、正規化されたプッシュプル信号の値を、ＮＰＰｂ（Normal Push-Pull signal before）とした場合、次のような条件式（１）及び条件式（２）を満たすことが規定されている。【００８２】
0.22  ＜  ＮＰＰｂ  ＜  0.44  ……  （１）  
0.5  ＜  ＮＰＰｒ  ＜  1.0  ……  （２）  
（但し、ＮＰＰｒ＝ＮＰＰｂ／ＮＰＰａ）                                。【００８３】
上述した２つの条件式から更に、次の条件式（３）が導かれる。【００８４】
0.22  ＜  ＮＰＰａ  ＜  0.88  ……  （３）                            。【００８５】
尚、本実施例に係る「正規化」とは、受光素子の全部において、受光されるプッシュプル信号の検出レベルの総量を「１．０」とした場合に、受光素子の一部において、受光されるプッシュプル信号の検出レベルの相対的な値を意味する。具体的には、後述される、４分割された受光素子（Photo Detector）の４つの領域から夫々受光される受光量を、夫々「Ia」、「Ib」、「Ic」、及び「Id」とした場合、記録後の値であるＮＰＰａ、及び、記録前の値であるＮＰＰｂは、次の式（４ａ）及び（４ｂ）によって、夫々定義されている。【００８６】
ＮＰＰａ＝｜（Ia+Ib）  −  （Ic+Id）｜  ／  ｜Ia+Ib+Ic+Id｜  ……（４ａ）  
ＮＰＰｂ＝｜（Ia+Ib）  −  （Ic+Id）｜  ／  ｜Ia+Ib+Ic+Id｜  ……（４ｂ）  。【００８７】
以上のように、例えばＤＶＤ−Ｒでは、再生設定領域又はＲＭＡ（Recording Management Area）等の記録エリアからは所定値のプッシュプル信号が得られるようにグルーブトラックの幅及び深さを設けている。【００８８】
これに対して、本実施例に係る光ディスクでは、グルーブトラックの幅及び深さの少なくとも一方を調整することで、例えば再生設定領域又はＲＭＡ等の記録エリアの少なくとも一部から得られるプッシュプル信号における振幅を小さくさせ、所定値よりも小さくするようにしている。より具体的には、この所定値は、例えばＤＶＤ−Ｒから得られるプッシュプル信号の振幅と略等価である振幅を意味してよい。尚、上述の具体例では、所定値は、ＮＰＰｂの値が、「０．２２」である振幅を意味している。【００８９】
加えて、本実施例に係る光ディスクに対する、本願発明者による定量的な分析によれば、再生設定領域のグルーブトラックの幅を狭くしたり、グルーブトラックの深さを浅くしたりすることで、プッシュプル信号の検出レベルを低下させることが可能であることが判明している（図３及び図４を参照）。具体的には、例えば、グルーブトラックの深さを、一般的な140（nm：nanometer）から100（nm）に調整することで、ＮＰＰａの検出レベルを低下させることが可能であることが判明している。【００９０】
この再生設定領域を含む記録エリアの一部の領域に記録された記録情報を再生する際に、従来の再生機（一般の情報記録再生装置）は、記録型の情報記録媒体から得られるプッシュプル信号よりも小さな値の信号しか得られないので、一般の情報記録再生装置は、本発明の情報記録媒体を記録型ディスクとは判別せず、ＤＶＤ−ＲＯＭなどの再生専用の情報記録媒体と判別する。この結果、従来の再生機は、一般的な再生専用の情報記録媒体と同様に、本発明の情報記録媒体に対して、再生処理を行うことが可能である。【００９１】
以上の結果、上述した、トラックにおける幅及び深さのうち少なくとも一方の絶対量が所定値以下（即ち、所定値より小さい、又は、所定値と等しい）のプッシュプル信号が得られるように規定された、記録型の情報記録媒体によって、例えばＣＳＳ等の暗号化システムによって、著作権が保護されたコンテンツを、一般のユーザに供給し、供給されたコンテンツを、従来の再生機によって、適切且つ簡便に再生処理を行わせることが可能となる。従って、本発明の情報記録媒体によれば、コンテンツの著作権の保護と、再生互換性の維持との両立を実現することが可能である。【００９２】
尚、グルーブトラックの一部のみならず全部から所定値以下のプッシュプル信号が得られるように規定された溝が形成されているようにしてもよい。
この結果、上述した再生設定領域の位置に影響されることなく、従来の再生機は、一般的な再生専用の情報記録媒体と同様に、本発明の情報記録媒体に対して、再生処理を行うことが可能である。【００９３】
（１−４−２）溝の形状及び構成について
次に、図５を参照して、本発明の実施例に係る、溝の形状及び構成の一具体例について説明する。ここに、図５（ａ）は、本発明の情報記録媒体の実施例に係る、色素膜の厚さ（Ａｂｓ）、グルーブの深さ（nm）、グルーブの幅（nm）、トラック間隔（nm）、記録後のプッシュプル信号の検出量（ｍＶ）、及び正規化したプッシュプル信号の値（ＮＰＰａ）の相関関係を数値的に示した表である。尚、「Ａｂｓ」とは、光の吸光度（所謂、光の吸収の度合い）を示す単位であり、色素膜の膜厚（厚さ）を示す指標として用いられる。具体的には、この「Ａｂｓ」の値が小さいほど色素膜の膜厚は薄いことを意味する。図５（ｂ）は、本発明の情報記録媒体の実施例に係る、ＣＳＳで保護されたコンテンツが記録された記録型ディスクを、プッシュプル信号の振幅（検出レベル）で、光ディスクの種類を判別することが可能な情報再生装置で再生を試みた場合の結果を示す表である。【００９４】
本願発明者による研究によれば、図５（ａ）中の「ＤｉｓｃＡ」及び「ＤｉｓｃＢ」での検出結果に示されるように、グルーブの深さを変えず、色素膜の厚さを小さくした場合、プッシュプル信号の検出量が小さくなることが判明している。【００９５】
また、図５（ａ）中の「ＤｉｓｃＢ」、「ＤｉｓｃＣ」及び「ＤｉｓｃＤ」での検出結果に示されるように、色素膜の厚さを変えずに、グルーブの深さを浅くした場合、プッシュプル信号の検出量が小さくなることが判明している。【００９６】
以上の結果、図５（ｂ）中の「Ｒｅｃｏｒｄｅｒ（１）」、「Ｒｅｃｏｒｄｅｒ（２）」、「Ｗｒｉｔｅｒ（１）」、及び、「Ｗｒｉｔｅｒ（２）」での結果に示されるように、本研究に基づいて、プッシュプル信号の振幅（検出レベル）で、光ディスクの種類を判別することが可能な情報再生装置又は情報記録再生装置は、挿入された光ディスクのＮＰＰａの値が、「0.183」付近の値になる場合、多くの情報再生装置又は情報記録再生装置で、ＤＶＤ−Ｒ等の記録型の光ディスクとは判別せずにＤＶＤ−ＲＯＭ等の再生専用型の光ディスクと判別することが判明できた。すなわち、多くの情報再生装置又は情報記録再生装置で、ＣＳＳ暗号化システムの下で、保護されたコンテンツが記録されたＤＶＤ−Ｒメディアを再生することを証明することができたのである。【００９７】
以上の研究により、グルーブの幅を、記録トラックのトラック間隔の約「１／２」以下にした場合や、グルーブの深さを、グルーブの幅の約「１／４」以下にして形成することで、情報記録媒体から得られるプッシュプル信号の振幅が所定値以下になることが判明している。その結果、このような情報記録媒体は、多くの情報再生装置又は情報記録再生装置において、ＤＶＤ−ＲＯＭ等の再生専用型の光ディスクと判別されることが証明できたのである。【００９８】
（２）情報再生装置  
次に、図６を参照して、本発明の情報再生装置の実施例について詳細に説明する。特に、本実施例は、本発明に係る情報再生装置を光ディスク用の情報記録再生装置に適用した例である。【００９９】
（２−１）基本構成
先ず、図６を参照して、本発明の情報再生装置に係る実施例における情報記録再生装置２００の基本構成について説明する。ここに、図６は、本発明の情報再生装置に係る実施例における情報記録再生装置２００の全体構成を示すブロック図である。【０１００】
情報記録再生装置２００は、光ディスク１００、光ピックアップ２０２、スピンドルモータ２０３、ヘッドアンプ２０４、総和生成回路２１０、マークデータ復調回路２１１、マークデータ訂正回路２１２、バッファ２１３、インターフェース２１４、プッシュプル信号生成回路２２０、ローパスフィルタ２２１及びサーボユニット２２２を備えて構成されている。【０１０１】
光ディスク１００には、第１クロック信号ＣＫ１に同期したマークデータＤＰが記録マークＭＫの長短によって記録されている。ＲＦ再生信号成分の第１クロック信号ＣＫ１は、ウォブリング等に応じて、ほぼ一定周期で変動する光ディスク１００のＲＦ再生信号成分から、当該情報記録再生装置２００により生成可能な信号であり、本実施例では、マークデータ復調回路２１１により生成される。尚、本実施例では、記録マークＭＫはピットとも解釈でき、トラックはこのピット列によって構成される。【０１０２】
情報記録再生装置２００は、より具体的には、光ディスク１００に対して再生ビームを照射するとともに反射光に応じた信号を出力する光ピックアップ２０２と、光ディスク１００の回転を制御するスピンドルモータ２０３と、サーボユニット２２２を備える。サーボユニット２２２には、第１クロック信号ＣＫ１及びマーク同期信号ＳＹＮＣｐが供給される。サーボユニット２２２は、これらの信号に同期して、スピンドルモータ２０３の回転を制御するスピンドルサーボ、光ピックアップ２０２の光ディスク１００に対する相対的位置制御であるフォーカスサーボ及びトラッキングサーボを実行する。【０１０３】
光ピックアップ２０２は、再生ビームを照射するレーザーダイオード、図示しない４分割検出回路を備える。４分割検出回路は、再生ビームの反射光を図６の上方に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。【０１０４】
総和生成回路２１０は、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号である。【０１０５】
マークデータ復調回路２１１は、総和読取信号ＳＲＦに基づいてマークデータＤＰを再生すると共に第１クロック信号ＣＫ１を生成する。より具体的にはマークデータ復調回路２１１は、マーク同期信号ＳＹＮＣｐを基準位置として、再生されたマークデータＤＰを所定のテーブルを用いて復調して再生データを生成する。例えば、変調方式としてＲＬＬ（１，７）変調、所謂、Run Length Limited（１，７）Modulationが採用される場合には、３ビットのマークデータＤＰを２ビットの再生データに変換する処理が施される。そして、再生データの順序を予め定められた規則に従って並べ換えるデスクランブル処理が実行されて、処理済の再生データが出力される。【０１０６】
このようにして得られた再生データは、マークデータ訂正回路２１２へ供給され、そこで、エラー訂正処理や補間処理等が施された後、バッファ２１３に記憶される。インターフェース２１４はバッファ２１３に記憶されたデータを順次読み出して所定の出力形式に変換して外部機器へ出力する。【０１０７】
プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。プッシュプル信号の値は再生ビームとトラックとの相対的な位置関係を表している。【０１０８】
プッシュプル信号はローパスフィルタ２２１を介してサーボユニット２２２へ出力される。サーボユニット２２２は、プッシュプル信号に基づいてトラッキング制御を実行する。詳細には、規格化されたプッシュプル信号の値は、プッシュプル信号生成回路２２０において、次の式（５）によって算出可能である。【０１０９】
「規格化されたプッシュプル信号の値」  ＝  
｛（１ａ＋１ｄ）−（１ｂ＋１ｃ）｝／（１ａ＋１ｂ＋１ｃ＋１ｄ）  ……（５）。【０１１０】
この式（５）に示されるように、規格化されたプッシュプル信号の値は、プッシュプル信号を、プッシュプル信号の総和で割った商を出力する割り算回路において算出される。この演算回路から出力されるプッシュプル信号に基づいて、ユーザーデータが記録される前、若しくは記録された後における、局所的な反射率の変化に起因されるプッシュプル信号の値の絶対値の変動を、補正した安定したプッシュプル信号が取得可能である。尚、回路的には、上述したプッシュプル信号の値ＰＰとは、（１ａ＋１ｄ）−（１ｂ＋１ｃ）なる信号のローパスフィルタから出力された信号の振幅（Ｐｅａｋ・ｔｏ・ｐｅａｋ値）を意味する。他方、上述した規格化されたプッシュプル信号の値ＮＰＰとは、｛（１ａ＋１ｄ）−（１ｂ＋１ｃ）｝／（１ａ＋１ｂ＋１ｃ＋１ｄ）なる信号のローパスフィルタから出力された信号の振幅（Ｐｅａｋ・ｔｏ・ｐｅａｋ値）を意味する。尚、図６の下側部分によって、半径方向（ラジアル方向）が、領域１Ａと領域１Ｂとに沿った方向によって示され、接線方向（タンジェンシャル方向）が、領域１Ａと領域１Ｄとに沿った方向によって示されている。【０１１１】
（３）製造手順（グルーブトラックの溝の形状の変化）
次に、図７を参照して、製造手順として、グルーブトラックの溝形状である溝の幅及び／又は深さの局所的な変化について説明する。ここに、図７は、本発明の情報記録媒体の製造手順を図式的に示した模式図である。【０１１２】
図７中のステップ１に示されるように、ガラス原板において、当該ガラス原板が回転されながら粘性のあるフォトレジスト（感光樹脂）が、滴下され均一な厚さで塗布される、所謂、スピンコートが行われる。【０１１３】
次に、図７中のステップ２に示されるように、溝の形状を変化させるためのガラス原板の部分２０ａにおいて、例えば電子線や紫外線等のカッティング用レーザ光が、データエリアを形成するためのガラス原板の部分１０２ａにおけるレーザパワーと比較して相対的に低いレーザパワーで照射される。このようにカッティング用レーザ光が照射された部分は、光エネルギーによりフォトレジストが分子のレベルで結合が切られた状態になるので、現像液に浸されることによって、穴があいた状態となり、カッティング部が、部分２０ａ及び部分１０２ａにおいて夫々形成される。【０１１４】
この結果、溝の形状を変化させるためのガラス原板の部分２０ａの溝における幅を相対的に狭くすることができると共に、深さを相対的に浅くすることができる。詳細には、溝における幅は、レーザパワーに加えて、カッティング用レーザ光のビーム径によって決定可能である。また、溝における深さは、レーザパワーに加えて、フォトレジストの厚さによって決定可能である。尚、レーザパワーは、原板を構成するフォトレジストの感度に適切に対応していることが望ましい。【０１１５】
次に、図７中のステップ３に示されるように、電鋳工程によって、ニッケルの薄膜の上にニッケルが積層されていき、厚いニッケル層がガラス原板の上に形成される。【０１１６】
次に、図７中のステップ４に示されるように、ガラス原板から、ニッケル層が引き剥がされ、マスタスタンパが作成される。このマスタスタンパから、同じく電鋳工程を経て、マザースタンパ及びベビースタンパが作成される。ベビースタンパは、転写を２回経ているので、マスタスタンパと同じ凹凸が形成されている。【０１１７】
次に、図７中のステップ５に示されるように、射出成型機によって、ベビースタンパから樹脂基板、所謂、ポリカーボネート基板が作成される。【０１１８】
最後に、図７中のステップ６に示されるように、反射膜が貼り付けられ、例えばダミー基板や信号面を保持する基板が貼り合わせられることによって、光ディスクが作成される。【０１１９】
上述した製造手順の結果、本発明の情報記録媒体のグルーブトラックの溝形状である溝の幅及び深さのうちの少なくとも一方を、局所的に変化させることが可能である。言い換えると、本発明の情報記録媒体における、例えば再生設定領域等の記録エリアの一部のグルーブトラックの溝における幅を、データエリア１０２のグルーブトラックの溝における幅と比較して相対的に狭くすることが可能である。加えて、例えば再生設定領域等の記録エリアの一部のグルーブトラックの溝における深さを、データエリア１０２のグルーブトラックの溝における深さと比較して相対的に浅くすることが可能である。この結果、本発明の情報記録媒体の製造装置に係る製造手順においては、カッティング用レーザ光が、局所的に異なったレーザパワーで、ガラス原板に照射されるので、本発明の情報記録媒体のグルーブトラックの溝形状である溝の幅及び深さのうちの少なくとも一方を、局所的に変化させることが可能である。なお、本発明の情報記録媒体のグルーブトラックの溝形状である溝の幅及び深さは、局所的に変化させるだけでなく、全体を均一にしても良い。少なくとも、再生設定領域から検出されるプッシュプル信号を、ＤＶＤ−Ｒ等の記録型の情報記録媒体から検出されるプッシュプル信号よりも小さくなるように、グルーブトラックの溝の深さ又は幅などが調整されていればよい。【０１２０】
上述した実施例では、情報記録媒体の一具体例として、例えばブルーレイ、赤色ＬＤ光、又は赤外光等のレーザ光によって記録又は再生が可能な、単層型の光ディスクについて説明した。加えて、本発明は、例えば、２層以上の記録層を備える多層型（マルチプルレイヤ型）の光ディスクにも適用可能である。更に、他の高密度記録或いは高転送レート対応の各種の情報記録媒体にも適用可能である。【０１２１】
また、上述した実施例では、情報記録媒体として特にＤＶＤ−Ｒに本発明を適用させた場合について記載したが、これに限定されるものではなく、ＤＶＤ−ＲＷ、ＤＶＤ＋Ｒ、ＤＶＤ＋ＲＷに対しても適用可能である。【０１２２】
本発明は、上述した実施例に限られるものではなく、請求の範囲及び明細書全体から読み取れる発明の要旨或いは思想に反しない範囲で適宜変更可能であり、そのような変更を伴う、情報記録媒体、並びに、当該情報記録媒体の製造方法もまた本発明の技術的範囲に含まれるものである。
【産業上の利用可能性】
【０１２３】
本発明に係る情報記録媒体、並びに、情報記録媒体の製造方法は、例えばＤＶＤ（Digital Versatile Disc）、ＢＤ（Blu-ray Disc）、ＣＤ（Compact Disc）等のレーザ光を照射することによって記録及び再生が可能な光ディスク等の情報記録媒体に利用可能であり、また当該情報記録媒体を製造する製造装置等に利用可能である。
【図１】
2008050450.tif 000003
【図２】
2008050450.tif 000004
【図３】
2008050450.tif 000005
【図４】
2008050450.tif 000006
【図５】
2008050450.tif 000007
【図６】
2008050450.tif 000008
【図７】
2008050450.tif 000009
【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
記録トラックに沿ってグルーブが形成され、レーザ光が照射されて記録又は再生がなされる光記録媒体であって、
前記グルーブの少なくとも一部の領域からは、所定値より小さいプッシュプル信号が得られ、
前記所定値は、ＤＶＤ−Ｒ規格、又は、ＤＶＤ−ＲＷ規格で定められるプッシュプル信号の最小値であることを特徴とする情報記録媒体。
【請求項２】
記録後の前記一部の領域から得られるプッシュプル信号が、前記所定値より小さいことを特徴とする請求の範囲第１項に記載の情報記録媒体。
【請求項３】
（削除）
【請求項４】
（削除）
【請求項５】
前記所定値は、記録後の前記一部の領域から検出されるプッシュプル信号を、記録後の前記一部の領域から検出される全光量で正規化した値とした場合に、「０．２２」以下の値であることを特徴とする請求の範囲第２項に記載の情報記録媒体。
【請求項６】
前記一部の領域は、当該情報記録媒体の中心から「２２．３  〜  ３５．０（ｍｍ：ｍｉｌｌｉｍｅｔｅｒ）」の半径範囲において構成されていることを特徴とする請求の範囲第１項に記載の情報記録媒体。
【請求項７】
前記一部の領域は、データエリアに含まれない領域であることを特徴とする請求の範囲第１項に記載の情報記録媒体。
【請求項８】
前記一部の領域は、リードインエリアに含まれて設けられていることを特徴とする請求の範囲第７項に記載の情報記録媒体。
【請求項９】
前記一部の領域は、ＣＤＺ（ｃｏｎｔｒｏｌ  ｄａｔａ  ｚｏｎｅ）に含まれて設けられていることを特徴とする請求の範囲第７項に記載の情報記録媒体。
【請求項１０】
前記一部の領域には、ストレートグルーブが形成されていることを特徴とする請求の範囲第１項に記載の情報記録媒体。
【請求項１１】
前記一部の領域にはウォブルが形成されていることを特徴とする請求の範囲第１項に記載の情報記録媒体。
【請求項１２】
前記一部の領域には、ＤＶＤ−Ｒ規格、又は、ＤＶＤ−ＲＷ規格で定められるウォブル周波数の略２倍のウォブルが形成されていることを特徴とする請求の範囲第１項に記載の情報記録媒体。
【請求項１３】
前記グルーブの全体の領域から、所定値より小さいプッシュプル信号が得られることを特徴とする請求の範囲第１項に記載の情報記録媒体。
【請求項１４】
前記一部の領域から得られるプッシュプル信号は、前記グルーブの他部の領域から得られるプッシュプル信号よりも小さいことを特徴とする請求の範囲第１項に記載の情報記録媒体。
【請求項１５】
記録トラックに沿ってグルーブが形成され、レーザ光が照射されて記録又は再生がなされる光記録媒体であって、前記グルーブの少なくとも一部の領域からは、所定値より小さいプッシュプル信号が得られ、前記所定値は、ＤＶＤ−Ｒ規格、又は、ＤＶＤ−ＲＷ規格で定められるプッシュプル信号の最小値である情報記録媒体を製造する製造方法であって、
前記一部の領域のグルーブの深さ又は幅を変化させる変化工程と、
変化された前記一部の領域から得られる前記プッシュプル信号が所定値よりも小さくなるように調整する調整工程と、
を備えることを特徴とする情報記録媒体の製造方法。
【請求項１６】
（削除）
【請求項１７】
前記所定値は、記録後の前記一部の領域から検出されるプッシュプル信号を、記録後の前記一部の領域から検出される全光量で正規化した値とした場合に、「０．２２」以下の値であることを特徴とする請求の範囲第１５項に記載の情報記録媒体の製造方法。
【請求項１８】
前記変化工程は、前記一部の領域のグルーブの幅を、前記記録トラックのトラック間隔の「１／２」以下に変化し、
前記調整工程は、変化された前記一部の領域から得られる前記プッシュプル信号が前記所定値よりも小さくなるように調整することを特徴とする請求の範囲第１５項に記載の情報記録媒体の製造方法。
【請求項１９】
前記変化工程は、前記一部の領域のグルーブの深さを、前記グルーブの幅の「１／４」以下に変化し、
前記調整工程は、変化された前記一部の領域から得られる前記プッシュプル信号が前記所定値よりも小さくなるように調整することを特徴とする請求の範囲第１５項に記載の情報記録媒体の製造方法。
【請求項２０】
記録前の前記一部の領域から得られるプッシュプル信号が、前記所定値より小さいことを特徴とする請求の範囲第１項に記載の情報記録媒体。
【請求項２１】
前記所定値は、記録前の前記一部の領域から検出されるプッシュプル信号を、記録前の前記一部の領域から検出される全光量で正規化した値とした場合に、「０．２２」以下の値であることを特徴とする請求の範囲第２０項に記載の情報記録媒体。
【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
記録トラックに沿ってグルーブが形成され、レーザ光が照射されて記録又は再生がなされる光記録媒体であって、
前記グルーブの少なくとも一部の領域からは、所定値より小さいプッシュプル信号が得られ、
前記所定値は、前記一部の領域から検出されるプッシュプル信号を、前記一部の領域から検出される全光量で正規化した値とした場合に、「０．２２」の値であることを特徴とする情報記録媒体。
【請求項２】
前記所定値は、ＤＶＤ−Ｒ規格、又は、ＤＶＤ−ＲＷ規格で定められるプッシュプル信号の検出量であることを特徴とする請求項１に記載の情報記録媒体。
【請求項３】
前記所定値は、ＤＶＤ＋Ｒ規格、又は、ＤＶＤ＋ＲＷ規格で定められるプッシュプル信号の検出量であることを特徴とする請求項１に記載の情報記録媒体。
【請求項４】
前記一部の領域は、当該情報記録媒体の中心から「２２．３  〜  ３５．０（ｍｍ：millimeter）」の半径範囲において構成されていることを特徴とする請求項１から３のうちいずれか一項に記載の情報記録媒体。
【請求項５】
前記一部の領域は、データエリアに含まれない領域であることを特徴とする請求項１から４のうちいずれか一項に記載の情報記録媒体。
【請求項６】
前記一部の領域は、リードインエリアに含まれて設けられていることを特徴とする請求項５に記載の情報記録媒体。
【請求項７】
前記一部の領域は、ＣＤＺ（control data zone）に含まれて設けられていることを特徴とする請求項５に記載の情報記録媒体。
【請求項８】
前記一部の領域には、ストレートグルーブが形成されていることを特徴とする請求項１から７のうちいずれか一項に記載の情報記録媒体。
【請求項９】
前記一部の領域にはウォブルが形成されていることを特徴とする請求項１から７のうちいずれか一項に記載の情報記録媒体。
【請求項１０】
前記一部の領域には、ＤＶＤ−Ｒ規格、又は、ＤＶＤ−ＲＷ規格で定められるウォブル周波数の略２倍のウォブルが形成されていることを特徴とする請求項１から７のうちいずれか一項に記載の情報記録媒体。
【請求項１１】
前記グルーブの全体の領域から、所定値より小さいプッシュプル信号が得られることを特徴とする請求項１から１０のうちいずれか一項に記載の情報記録媒体。
【請求項１２】
前記一部の領域から得られるプッシュプル信号は、前記グルーブの他部の領域から得られるプッシュプル信号よりも小さいことを特徴とする請求項１から１１のうちいずれか一項に記載の情報記録媒体。
【請求項１３】
記録トラックに沿ってグルーブが形成され、レーザ光が照射されて記録又は再生がなされる光記録媒体であって、前記グルーブの少なくとも一部の領域からは、所定値より小さいプッシュプル信号が得られ、前記所定値は、前記一部の領域から検出されるプッシュプル信号を、前記一部の領域から検出される全光量で正規化した値とした場合に、「０．２２」の値である情報記録媒体を製造する製造方法であって、
前記一部の領域のグルーブの深さ又は幅を変化させる変化工程と、
変化された前記一部の領域から得られる前記プッシュプル信号が所定値よりも小さくなるように調整する調整工程と、
を備えることを特徴とする情報記録媒体の製造方法。
【請求項１４】
前記所定値は、ＤＶＤ−Ｒ規格、又は、ＤＶＤ−ＲＷ規格で定められるプッシュプル信号の検出量であることを特徴とする請求項１３に記載の情報記録媒体の製造方法。
【請求項１５】
前記変化工程は、前記一部の領域のグルーブの幅を、前記記録トラックのトラック間隔の「１／２」以下に変化し、
前記調整工程は、変化された前記一部の領域から得られる前記プッシュプル信号が前記所定値よりも小さくなるように調整することを特徴とする請求項１３から１４のうちいずれか一項に記載の情報記録媒体の製造方法。
【請求項１６】
前記変化工程は、前記一部の領域のグルーブの深さを、前記グルーブの幅の「１／４」以下に変化し、
前記調整工程は、変化された前記一部の領域から得られる前記プッシュプル信号が前記所定値よりも小さくなるように調整することを特徴とする請求項１３から１５のうちいずれか一項に記載の情報記録媒体の製造方法。
【国際調査報告】
2008050450.tif 000010
2008050450.tif 000011
2008050450.tif 000012
2008050450.tif 000013
2008050450.tif 000014
2008050450.tif 000015
2008050450.tif 000016
2008050450.tif 000017
2008050450.tif 000018